(57)【特許請求の範囲】
【請求項１】
記録テープが巻き回されたリールと、
前記リールが回転可能に収容され、前記記録テープを外部に引き出すための開口を有するケースと、
前記記録テープが直接的又はリーダテープを介して接続されたテープ接続部と、前記テープ接続部における前記記録テープの幅方向の両端よりも該幅方向外側に突出した部分にそれぞれ設けられた一対の鍔部とを有するリーダ部材と、
前記ケース内に前記開口に臨んで形成され、前記リーダ部材の各鍔部を前記開口側への離脱可能に個別に受け入れる一対のリーダ受け入れ部と、
前記ケース内で固定された固定部と、前記リーダ受け入れ部に受け入れられている前記鍔部に前記開口側から係合する抜け止めバネ部と、前記リーダ受け入れ部に受け入れられている前記鍔部を前記記録テープ側から覆う張出部とがそれぞれ一体に設けられた一対のリーダ保持部材と、
を備えた記録テープカートリッジ。
【請求項２】
前記一対のリーダ保持部材における前記張出部、又は該張出部と固定部との間の部分を前記リーダ受け入れ部に対し位置決めするための位置決め手段をさらに備えた請求項１記載の記録テープカートリッジ。
【請求項３】
前記リーダ受け入れ部は、前記ケースに形成された凹部とされており、
前記一対のリーダ保持部材の前記抜け止め用バネ部は、それぞれ前記固定部に対する前記記録テープ側に立ち上げられて形成されており、
前記ケースには、それぞれ前記リーダ受け入れ部に連通され各前記抜け止めバネ部を個別に収容する一対のバネ溝と、それぞれ前記バネ溝に連通され各前記固定部を個別に収容する一対の固定用凹部とが形成されている請求項１又は請求項２記載の記録テープカートリッジ。
【請求項４】
前記リーダ受け入れ部は、前記ケースに形成された凹部とされており、
前記一対のリーダ保持部材の前記抜け止め用バネ部は、それぞれ前記固定部に対する前記記録テープ側とは反対側に立ち上げられて形成されており、
前記ケースには、それぞれ前記リーダ受け入れ部に連通され各前記抜け止めバネ部を個別に収容する一対のバネ溝が形成されている請求項１又は請求項２記載の記録テープカートリッジ。
【請求項５】
前記一対のリーダ保持部材は、それぞれ金属材にて構成されている請求項１〜請求項４の何れか１項記載の記録テープカートリッジ。
【発明の詳細な説明】
【技術分野】
【０００１】
本発明は、記録テープが巻き回されたリールをケース内に回転可能に収容した記録テープカートリッジに関する。
【背景技術】
【０００２】
ケース内に収容された単一のリールに巻き回された磁気テープの先端にリーダピンを取り付け、このリーダピンの長手方向両端に張り出し形成された両端固定部をケースの上下壁に形成されたアンダカット溝に収納することで、ケースに対しリーダピンを保持する磁気テープカートリッジが知られている（例えば、特許文献１参照）。この磁気テープカートリッジでは、リーダピンのケースに対する倒れやケースにおけるリーダピン出し入れ用の開口部（非接合部）の口開きを防止することができる。また、磁気テープカートリッジの分野において、カートリッジ本体に対する弾生保持具の取り付け精度を高めてリーダピンの係留力の安定化を図るための、弾生保持具の位置決め構造が知られている（例えば、特許文献２参照）。この磁気テープカートリッジでは、リーダピンの上下端を係留する弾生保持具が別体として構成されている。
【特許文献１】特開２００１−１４８１７９号公報
【特許文献２】特開２００４−３１９０３１号公報
【発明の開示】
【発明が解決しようとする課題】
【０００３】
しかしながら、上記した前者の如き従来の磁気テープカートリッジでは、テーパ状又は段付状のアンダカット溝がケースに樹脂の薄肉部分を形成して形成されているので、ケース開口部の口開きを防止する際に上記樹脂の薄肉部分が変形することが懸念される。また、後者の磁気テープカートリッジによっては、ケース開口部の口開きを防止することができない。
【０００４】
本発明は、上記事実を考慮して、ケースの強度を確保しつつケース開口部の口開きを抑制することができる記録テープカートリッジを得ることが目的である。
【課題を解決するための手段】
【０００５】
請求項１記載の発明に係る記録テープカートリッジは、記録テープが巻き回されたリールと、前記リールが回転可能に収容され、前記記録テープを外部に引き出すための開口を有するケースと、前記記録テープが直接的又はリーダテープを介して接続されたテープ接続部と、前記テープ接続部における前記記録テープの幅方向の両端よりも該幅方向外側に突出した部分にそれぞれ設けられた一対の鍔部とを有するリーダ部材と、前記ケース内に前記開口に臨んで形成され、前記リーダ部材の各鍔部を前記開口側への離脱可能に個別に受け入れる一対のリーダ受け入れ部と、前記ケース内で固定された固定部と、前記リーダ受け入れ部に受け入れられている前記鍔部に前記開口側から係合する抜け止めバネ部と、前記リーダ受け入れ部に受け入れられている前記鍔部を前記記録テープ側から覆う張出部とがそれぞれ一体に設けられた一対のリーダ保持部材と、を備えている。
【０００６】
請求項１記載の記録テープカートリッジでは、記録テープをケース内に収容する状態において、リーダ部材における記録テープの幅方向両端よりも該幅方向外側に位置する鍔部がリーダ受け入れ部に入り込まされると共にリーダ保持部材の張出部にて覆われている。また、リーダ部材の鍔部のケース開口側への移動は、リーダ保持部材の抜け止め用バネ部にて規制されている。この記録テープカートリッジでは、ケースの開口が口開き方向に変形した場合に、リーダ部材の鍔部が張出部に係合することで、該ケース開口の口開き方向の変形が抑制される。記録テープをケース外に引き出す際には、リーダ部材をケース開口側に移動すると鍔部がリーダ受け入れ部から離脱され、この後リーダ部材の移動に伴って記録テープがケースから引き出される。
【０００７】
ここで、本記録テープカートリッジでは、ケースとは別体とされたリーダ保持部材の固定部をケースに固定することで、該固定部に一体に設けられた張出部がリーダ受け入れ部内の鍔部を覆う位置に配置される構成であるため、該張出部をケーの薄肉部としてではなく設けることができる。これにより、張出部を有する構成において、ケースの強度を確保することができる。
【０００８】
このように、請求項１記載の記録テープカートリッジでは、ケースの強度を確保しつつケース開口部の口開きを抑制することができる。また、この張出部が抜け止め用バネ部と固定部を共用しているので、これら抜け止め用バネ部及び張出部のリーダ受け入れ部に対する位置精度を確保しやすい。
【０００９】
請求項２記載の発明に係るリーダ部材は、請求項１記載のリーダ部材において、前記一対のリーダ保持部材における前記張出部、又は該張出部と固定部との間の部分を前記リーダ受け入れ部に対し位置決めするための位置決め手段をさらに備えた。
【００１０】
請求項２記載のリーダ部材では、リーダ部材における張出部又は該張出部と固定部との間が位置決め手段によって位置決めされるので、換言すれば、リーダ受け入れ部の近傍でリーダ保持部材が位置決め手段によって位置決めされるので、抜け止め用バネ部及び張出部のリーダ受け入れ部に対する位置精度が高くなる。
【００１１】
請求項３記載の発明に係る記録テープカートリッジは、請求項１又は請求項２記載の記録テープカートリッジにおいて、前記リーダ受け入れ部は、前記ケースに形成された凹部とされており、前記一対のリーダ保持部材の前記抜け止め用バネ部は、それぞれ前記固定部に対する前記記録テープ側に立ち上げられて形成されており、前記ケースには、それぞれ前記リーダ受け入れ部に連通され各前記抜け止めバネ部を個別に収容する一対のバネ溝と、それぞれ前記バネ溝に連通され各前記固定部を個別に収容する一対の固定用凹部とが形成されている。
【００１２】
請求項３記載の記録テープカートリッジでは、ケースにおける記録テープの幅方向に対向する一対の平板部のそれぞれに、厚み方向に凹まされた凹部としてのリーダ受け入れ部、バネ溝、固定用凹部が形成されている。抜け止め用バネ部は、固定凹部に収容された固定部から記録テープ側（リーダ部材のテープ接続部側）に向けて立ち上げられることで、バネ溝内に位置して、リーダ受け入れ部内の鍔部に係合し得る。  
【００１３】
請求項４記載の発明に係る記録テープカートリッジは、請求項１又は請求項２記載の記録テープカートリッジにおいて、前記リーダ受け入れ部は、前記ケースに形成された凹部とされており、前記一対のリーダ保持部材の前記抜け止め用バネ部は、それぞれ前記固定部に対する前記記録テープ側とは反対側に立ち上げられて形成されており、前記ケースには、それぞれ前記リーダ受け入れ部に連通され各前記抜け止めバネ部を個別に収容する一対のバネ溝が形成されている。
【００１４】
請求項４記載の記録テープカートリッジでは、ケースにおける記録テープの幅方向に対向する一対の平板部のそれぞれに、厚み方向に凹まされた凹部として、リーダ受け入れ部及びバネ溝が形成されている。抜け止め用バネ部は、リーダ保持部材における固定部から記録テープとは反対側に向けて立ち上げられることで、バネ溝内に位置して、リーダ受け入れ部内の鍔部に係合し得る。これにより、ケースには、リーダ保持部材の固定部を収容するための薄肉部を設ける必要がなくなるか、又はケースにおける固定の固定部位の薄肉化を抑制することができる。
【００１５】
請求項５記載の発明に係る記録テープカートリッジは、請求項１〜請求項４の何れか１項記載の記録テープカートリッジにおいて、前記一対のリーダ保持部材は、それぞれ金属材にて構成されている前記一対のリーダ保持部材は、それぞれ金属材にて構成されている。
【００１６】
請求項５記載の記録テープカートリッジでは、リーダ保持部材が金属材で構成されているので、所要の強度を確保しつつ固定部及び張出部を薄肉化することができる。換言すれば、薄肉の固定部及び張出部によって所要の強度、特にケース開口の口開きに対する強度を確保することができる。
【発明の効果】
【００１７】
以上説明したように本発明に係る記録テープカートリッジは、ケースの強度を確保しつつケース開口部の口開きを抑制することができるという優れた効果を有する。
【発明を実施するための最良の形態】
【００１８】
本発明の第１の実施形態に係る記録テープカートリッジ１０について、図１乃至図８に基づいて説明する。先ず、記録テープカートリッジ１０の概略全体構成を説明し、次いで、リーダ部材としてのリーダピン２０について説明し、その後、本発明の要部であるケース１２に対するリーダピン２０の保持構造について詳細に説明することとする。なお、説明の便宜上、矢印Ａで示す記録テープカートリッジ１０のドライブ装置への装填方向を前方向（前側）とし、矢印Ａと直交する矢印Ｂ、矢印Ｃ方向をそれぞれ右方向、上方向とする。
【００１９】
（記録テープカートリッジの全体構成）
図７には記録テープカートリッジ１０の全体構成が斜視図にて示されており、図８には記録テープカートリッジ１０の概略の分解斜視図が示されている。これらの図に示される如く、記録テープカートリッジ１０は、平面視で略矩形状のケース１２内に、情報記録再生媒体である記録テープとしての磁気テープＴを巻装した単一のリール１４を回転可能に収容して構成されている。
【００２０】
ケース１２の右側壁の前端部には、磁気テープＴをケース１２外に引き出すための開口部１６が設けられている。この開口部１６は、記録テープカートリッジ１０（磁気テープＴ）の不使用時にはドア１８によって閉塞され、記録テープカートリッジ１０の使用時にはドライブ装置内で開放されるようになっている。また、磁気テープＴの先端には、後に詳述するリーダピン２０を含んで構成されたリーダ部材が取り付けられている。例えば、リーダ部材として、磁気テープＴの先端に直接的に接続されたリーダピン２０を用いても良く、磁気テープＴの先端に一端が接続されたリーダテープと該リーダテープの他端に接続されたリーダピン２０とを組み合わせたものを用いても良い。このリーダピン２０は、記録テープカートリッジ１０がドライブ装置に装填された場合に、該ドライブ装置の引き出し機構に引掛けられて磁気テープＴをケース１２から引き出させるようになっている。
【００２１】
ケース１２は、上ケース２２と下ケース２４とを接合して構成されている。上ケース２２は、平面視略矩形状の天板２２Ａの外縁に沿って略枠状の周壁２２Ｂが立設されて構成されており、下ケース２４は、天板２２Ａに略対応した形状の底板２４Ａの外縁に沿って周壁２４Ｂが立設されて構成されている。そして、ケース１２は、周壁２２Ｂの開口端と周壁２４Ｂの開口端とを突き当てた状態で、超音波溶着やビス止め等によって上ケース２２と下ケース２４とが接合されて、上下方向に扁平の略矩形箱状に形成されている。
【００２２】
開口部１６は、側面視で略矩形状に形成され、ケース１２における矢印Ａ方向に沿う右側壁１２Ａ（周壁２２Ｂと周壁２４Ｂとで構成されるケース１２の右向き壁）における前端近傍で右向きに開口している。天板２２Ａ及び底板２４Ａには、それぞれ直立したリーダピン２０の外フランジ４０（後述）を個別に収容するためのピン受け部２６が設けられている。詳細は後述するが、各ピン受け部２６は、開口部１６の前端近傍で右向きに、すなわち開口部１６に臨んで開口しており、開口部１６を経由したリーダピン２０のケース１２に対する接離（出入り）を可能としている。
【００２３】
また、図６に示される如く、ケース１２の各ピン受け部２６近傍には、それぞれ抜け止めバネ部としての抜け止めバネ２８が取り付けられている。詳細は後述するが、各抜け止めバネ２８は、係合端２８Ａをリーダピン２０の外フランジ４０（後述）の右前部に係合させてリーダピン２０をケース１２に対し保持するようになっている。この保持状態は、リーダピン２０を所定値以上の力で右方に引張ることで解除される構成である。
【００２４】
図７及び図８に示される如く、この開口部１６を開閉するドア１８は、単独で開口部１６を閉塞可能な略矩形平板状に形成されている。ドア１８の上下の端部は、開口部１６の開放面及び右側壁１２Ａに沿って天板２２Ａ及び底板２４Ａに設けられたガイド溝３０に摺動可能に入り込んでいる。これにより、ドア１８は、ガイド溝３０に案内されつつ前後方向にスライドすることで、開口部１６を閉塞する閉塞位置と、開口部１６を開放する開放位置とを選択的に取り得る構成とされている。そして、ドア１８は、ケース１２との間に設けられた付勢部材であるコイルばね３２によって前方に付勢されており、通常はこの付勢力によって閉塞位置に位置するようになっている。ドア１８の前端には、操作部１８Ａが右方に張り出して設けられており、この操作部１８Ａを後方に押圧することで、コイルばね３２の付勢力に抗してドア１８を開放位置に移動することができるようになっている。
【００２５】
また、図８に示される如く、ケース１２の底板２４Ａの中央部には、リール１４の図示しないリールギヤを露出するためのギヤ開口３４が設けられている。リール１４は、リールギヤに噛み合わされたドライブ装置の駆動ギヤが回転することで、ケース１２内で該ケース１２に対し非接触で回転駆動される構成である。さらに、ケース１２には、ギヤ開口３４と同軸的な円周に沿って天板２２Ａ及び底板２４Ａから部分的に立設されると共に上下端を突き合わせて構成された誘導規制壁３６を備えている。誘導規制壁３６は、リール１４のガタつきを抑えると共に、端部を周壁２２Ｂ、２４Ｂに連続させてリール１４の設置領域に塵芥等が進入することを防止する構成とされている。
【００２６】
（リーダピンの構成）
図５には、ケース１２に保持されたリーダピン２０が正面図にて示されている。この図に示される如く、リーダピン２０は、略直線の棒状に形成された軸部３８と、軸部３８の長手方向両端からそれぞれ延設された鍔部としての上下一対の外フランジ４０と、軸部３８における各外フランジ４０の内側から延設された上下一対の内フランジ４２とを主要部として構成されている。
【００２７】
軸部３８は、小円柱状に形成されている。また、図７及び図８に示される如く、軸部３８は、その長手方向が磁気テープＴの幅方向（記録テープカートリッジ１０の上下方向）に一致している。そして、軸部３８における上下一対の内フランジ４２の内側部分は、磁気テープＴが接続されるテープ接続部３８Ａとされており、図示しない断面略Ｃ字状を成すクランプ部材によって磁気テープＴの先端が接続されるようになっている。また、軸部３８における上下一対の外フランジ４０と内フランジ４２との間の部分は、上記したドライブ装置の引き出し機構に引掛けられる被引掛け部３８Ｂとされている。
【００２８】
上下一対の外フランジ４０は、それぞれ軸部３８の径方向外側（軸部３８の長手方向との直交面に沿う方向）に張り出した小円板状を成している。各外フランジ４０は、その端面４０Ａがアール加工を施されて球面状を成している。また、上下一対の内フランジ４２は、それぞれ軸部３８の径方向外側（軸部３８の長手方向との直交面に沿う方向）に張り出した小円板状を成している。各内フランジ４２は、それぞれの直径が外フランジ４０の直径と同等とされている。このリーダピン２０は、幅方向の寸法が略１２．６５ｍｍの磁気テープＴに用いられる。
【００２９】
以上説明したリーダピン２０は、例えばステンレス鋼（非磁性のＳＵＳ３０３等）等の鋼材により、各部が一体に形成されている。リーダピン２０の製造方法については後述する。
【００３０】
（リーダピンの保持構造）
上記構成のリーダピン２０は、図５及び図６に示される如く、上下一対の外フランジ４０がケース１２の対応するピン受け部２６に収容されることで、該ケース１２に対し保持される構成とされている。以下、各ピン受け部２６について説明するが、上下のピン受け部２６は基本的に上下対称に構成されているので、主に一方（底板２４Ａ側）のピン受け部２６について説明することとする。
【００３１】
図１及び図２に示される如く、ピン受け部２６は、ケース１２の内方で開口部１６の開放面（右）側を向いて、外フランジ４０の進退可能に開口するリーダ受け部としての収容凹部４４を有する。収容凹部４４は、底板２４Ａ（天板２２Ａ）の薄肉部として形成され、平面視（底面視）で右方に向けて開口する略Ｕ字状の壁部（壁面）４６に囲まれて形成されている。収容凹部４４の開口端側には、リーダピン２０の外フランジ４０を開口部１６から収容凹部４４に導くための案内凹部４８が連設されている。
【００３２】
図１及び図２に示される如く、案内凹部４８は、収容凹部４４から開口部１６にかけて徐々に開口幅が拡がるように平面視でテーパ状に形成されている。また、案内凹部４８には、ドア１８を案内するガイド溝３０、抜け止めバネ２８の係合端２８Ａを収容凹部４４内の外フランジ４０との係合位置に進退可能に入り込ませるためのバネ溝５０が連設されている。
【００３３】
また、図２〜図４に示される如く、ピン受け部２６は、壁部４６の上下方向端部から収容凹部４４上に張り出して底板２４Ａ（天板２２Ａ）と対向する張出部５２を有する。張出部５２は、平面視（底面視）で開口部１６側に開口する略Ｕ字状の縁部を有する切欠部５２Ａを有する。図６に示される如く、切欠部５２Ａは、外フランジ４０が収容凹部４４内に位置する状態でリーダピン２０の被引掛け部３８Ｂを入り込ませる構成とされている。図５及び図６に示される如く、張出部５２は、収容凹部４４に入り込んだ外フランジ４０を磁気テープＴ（テープ接続部３８Ａ）側から覆う構成とされている。
【００３４】
以上説明したピン受け部２６は、単体で（上下何れか一方のみで）、リーダピン２０の外フランジ４０を収容凹部４４に入り込ませた状態で、該リーダピン２０の左右方向（収容凹部４４に入り込んでいない側の外フランジ４０が開口部１６側に移動する方向）の倒れが、外フランジ４０と張出部５２との係合によって所定角度（例えば、７°）以下になるように、各部の寸法が決められている。
【００３５】
また、ピン受け部２６は、単体で（上下何れか一方のみで）、リーダピン２０の外フランジ４０を収容凹部４４に入り込ませた状態で、該リーダピン２０の前後方向（収容凹部４４に入り込んでいない側の外フランジ４０が前後に移動する方向）の倒れが、外フランジ４０と壁部４６との係合によって別途所定角度（例えば、５°）以下になるように、各部の寸法が決められている。すなわち、ピン受け部２６は、リーダピン２０の前後方向の倒れに対しては、該リーダピン２０の外フランジ４０、被引掛け部３８Ｂが張出部５２に干渉しない構成とされている。
【００３６】
これらにより、記録テープカートリッジ１０では、上下のピン受け部２６に外フランジ４０を入り込ませた状態では、リーダピン２０がケース１２に対し直立した姿勢を維持する（各方向共に殆ど倒れない）構成とされている。
【００３７】
また、記録テープカートリッジ１０では、収容凹部４４に入り込まされた収容凹部４４内の外フランジ４０は、上記した通り抜け止めバネ２８によって収容凹部４４からの離脱が規制されるようになっている。具体的には、抜け止めバネ２８は、左右方向に長手とされたバネ溝５０内に配置された板バネ２８Ｂの先端に係合端２８Ａが形成されており、板バネ２８Ｂは係合端２８Ａを前後方向に揺動させるように弾性変形可能とされている。
【００３８】
この抜け止めバネ２８は、図６に示される如く、収容凹部４４内の外フランジ４０の右前部に係合端２８Ａが係合することで、該外フランジ４０を各ピン受け部２６から離脱しない（し難い）ように保持する構成とされている。これにより、記録テープカートリッジ１０では、リーダピン２０がケース１２に対する所定位置に保持される。より具体的には、係合端２８Ａは、収容凹部４４内の外フランジ４０に対し保持側当接面２８Ｃを当接させる構成とされている。この保持側当接面２８Ｃは、外フランジ４０の収容凹部４４に対する接離方向に対し傾斜した傾斜面とされている。
【００３９】
したがって、リーダピン２０をピン受け部２６から離脱させる際には、該リーダピン２０に所定値以上の右方への移動力を付与することで、該移動力の一部が保持側当接面２８Ｃによって板バネ２８Ｂの弾性力に抗して係合端２８Ａを前方に移動させる力に変換されるようになっている。これにより、外フランジ４０の収容凹部４４からの離脱が可能となる構成とされている。
【００４０】
また、図１及び図２に示される如く、抜け止めバネ２８の係合端２８Ａは、保持側当接面２８Ｃとで山形を成すように外フランジ４０の収容凹部４４に対する接離方向に対し傾斜した収容時当接面２８Ｄを有する。したがって、リーダピン２０をピン受け部２６に保持させる際には、該リーダピン２０に所定値以上の左方への移動力を付与することで、該移動力の一部が収容時当接面２８Ｄによって板バネ２８Ｂの弾性力に抗して係合端２８Ａを前方に移動させる力に変換されるようになっている。これにより、外フランジ４０の収容凹部４４への収容が可能となる構成とされている。
【００４１】
図１及び図２に示される如く、以上説明した抜け止めバネ２８及び張出部５２は、共にリーダ保持部材５４に一体に設けられている。リーダ保持部材５４は、ケース１２に固定される固定部５６を有する。この実施形態では、固定部５６は、平面視で略矩形の平板状に形成されている。固定部５６は、バネ溝５０の左部（開口部１６から見て奥側部分）に連続して底板２４Ａに形成されると共に収容凹部４４の左側に位置する固定用凹部５８に入り込まされた状態で、該底板２４Ａに固定されている。より具体的には、図１に示される如く、固定用凹部５８の底面５８Ａからはかしめ用突起６０が突設されており、固定部５６に形成された透孔５６Ａにかしめ用突起６０を挿通させた状態で該かしめ用突起６０をかしめる（例えば熱かしめ）ことで、図２に示される如く固定部５６（リーダ保持部材５４）がケースに固定される構成である。
【００４２】
この固定用凹部５８の底面５８Ａは、バネ溝５０の底面５０Ａと略面一とされている。そして、抜け止めバネ２８は、固定部５６の前端から上側（天板２２Ａ側、バネ溝５０の開口側）向けて立設されている。より具体的には、抜け止めバネ２８は、板バネ２８Ｂの左端が、固定部５６の前左の端部から立ち上げられたバネ連結部６２に連続されている。したがって、リーダ保持部材５４では、抜け止めバネ２８は固定部５６を介してケース１２に固定されている。
【００４３】
また、リーダ保持部材５４では、固定部５６の右端部に連続する張出連結部６４を介して、該固定部５６に張出部５２が連続されている。張出連結部６４は、底板２４Ａにおける固定用凹部５８と収容凹部４４（壁部４６）との間の一般面２４Ｃに載置されるように、固定部５６との間に段部（段状壁）６４Ａが形成されている。したがって、この実施形態では、張出部５２と固定部５６とは略面一の平板状を成している。
【００４４】
さらに、記録テープカートリッジ１０は、リーダ保持部材５４をケース１２に対し位置決めするための位置決め構造６６を有する。この実施形態では、位置決め構造６６は、リーダ保持部材５４における固定部５６と張出部５２との間、すなわち張出連結部６４に設けられた位置決め用切欠部６８と、下ケース２４の底板２４Ａの一般面２４Ｃから突出された位置決め用突起７０とを含んで構成されている。位置決め用切欠部６８は、ケース１２の前後方向に略一致する張出連結部６４の幅方向の両側に開口して前後一対設けられており、これに対応して位置決め用突起７０も前後一対設けられている。
【００４５】
そして、図１に示される如く、リーダ保持部材５４は、一対の位置決め用突起７０がそれぞれ対応する位置決め用切欠部６８に入り込むように底板２４Ａにセットされることで、ケース１２に対する前後、左右方向の位置決めが成される構成とされている。記録テープカートリッジ１０では、この位置決め構造６６によりケース１２に対する位置決め状態とされることで、リーダ保持部材５４の固定部５６に設けられた透孔５６Ａにかしめ用突起６０が挿通される構成とされている。したがって、リーダ保持部材５４は、位置決め構造６６によるケース１２に対する位置決め状態で、かしめ用突起６０のかしめによりケース１２に固定されている。
【００４６】
以上説明したリーダ保持部材５４は、例えばステンレス鋼等の金属材にて構成されており、プレス加工等によって、各部（抜け止めバネ２８、張出部５２、固定部５６、バネ連結部６２、張出連結部６４）が一体に形成されている。
【００４７】
次に、第１の実施形態の作用を説明する。
【００４８】
上記構成の記録テープカートリッジ１０では、磁気テープＴに情報を記録する際、又は磁気テープＴに記録された情報を再生する際に記録テープカートリッジ１０がドライブ装置に装填されると、この装填動作に伴って操作部１８Ａがドライブ装置に押圧されつつドア１８が移動されて、開口部１６が開放される。この開口部１６からケース１２内に侵入した引き出し機構は、リーダピン２０の被引掛け部３８Ｂを引掛けつつ引張ることで、ケース１２から磁気テープＴを引き出し、磁気テープＴの先端をマシンリールに誘導する。その後、磁気テープＴはマシンリールに巻き取られながらケース１２から引き出され、所定のテープ経路に沿って配設された記録再生ヘッドによって情報が書き込まれ、又は記録されている情報が読み取られる。磁気テープＴの使用後には、磁気テープＴはリール１４に巻き取られて初期状態に復帰し、リーダピン２０は、引き出し機構によって各外フランジ４０が対応するピン受け部２６の収容凹部４４に入り込まされることで、ケース１２に対し保持される。
【００４９】
ここで、記録テープカートリッジ１０では、各ピン受け部２６に張出部５２が設けられているため、例えば記録テープカートリッジ１０の落下衝撃によってリーダピン２０がケース１２に対し倒れたり外れたりしてしまうことが防止される。これは、リーダピン２０の各方向の倒れが壁部４６と外フランジ４０との係合によって規制されることによる効果の他、落下衝撃により上ケース２２、下ケース２４の接合部がない開口部１６近傍におけるケース１２の口開き変形が外フランジ４０と張出部５２との係合によって防止されることによる。すなわち、リーダピン２０のケース１２に対する倒れや外れの原因となるケース１２の口開き変形がリーダピン２０自体によって防止される。
【００５０】
これにより、記録テープカートリッジ１０では、落下により衝撃を受けた後にも、ケース１２に対するリーダピン２０の適正な姿勢が維持され、リーダピン２０はドライブ装置の引き出し機構によって確実かつ適正に引き出される機能が担保される。
【００５１】
そして、記録テープカートリッジ１０では、ケース１２とは別体として構成されると共に該ケース１２に固着されたリーダ保持部材５４に張出部５２が設けられているため、ケース１２を構成する樹脂の薄肉部としてではなく張出部５２を設けることができる。この実施形態では、張出部５２を含むリーダ保持部材５４が金属材より成るため、薄肉でありながら（磁気テープＴの幅方向（上下方向）における走行スペースを確保しながら）、十分な耐口開き強度を有する張出部５２を得ることができる。さらに、記録テープカートリッジ１０では、かしめ用突起６０による固定部５６のケース１２に対する固定部位を張出部５２に近接して設定することで、上記口開き防止の際における張出部５２（張出連結部６４）の弾性変形量を小さくすることができる。
【００５２】
また、リーダ保持部材５４には、張出部５２と共に抜け止めバネ２８が一体に設けられているので、張出部５２と抜け止めバネ２８との相対的な位置精度をリーダ保持部材５４の寸法精度として管理することができ、該張出部５２と抜け止めバネ２８との相対的な位置精度が高い。これにより、記録テープカートリッジ１０では、各ピン受け部２６を構成する各部を収容凹部４４に対し精度良く設けることができる。
【００５３】
しかも、記録テープカートリッジ１０では、リーダ保持部材５４が位置決め構造６６によって壁部４６（外フランジ４０のケース１２に対する位置基準）の近傍で収容凹部４４に対し位置決めされているので、張出部５２の壁部４６（収容凹部４４）に位置精度が高い。また、このように張出部５２の壁部４６に対する位置精度が向上するのに伴って、該壁部４６に対する抜け止めバネ２８（係合端２８Ａ）の位置精度も向上する。
【００５４】
さらに、記録テープカートリッジ１０では、張出部５２と抜け止めバネ２８とが固定部５６を共用しているので、これらを別個にケース１２に固定する構成と比較して、該ケース１２内のスペースを有効利用して、ケース１２とは別体の張出部５２、抜け止めバネ２８を設けることができる。すなわち、ケース１２内の空間を狭めることを抑制しつつ張出部５２を設けることが可能になった。なお、この効果には、リーダピン２０の外フランジ４０が薄く加工されていること（該加工技術の確立、外フランジ４０と各内フランジ４２とを同径にしたことによる加工時の荷重支持構造）も寄与している。
【００５５】
（他の実施形態）
次に、本発明の他の実施形態を説明する。なお、上記実施形態又は前出の構成と基本的に同一の部品、部分については、上記実施形態又は前出の構成と同一の符号を付して説明を省略し、また図示を省略する場合がある。
【００５６】
（第２の実施形態）
図９には、本発明の第２の実施形態に係る記録テープカートリッジ８０を構成する各ピン受け部２６が分解斜視図にて示されており、図１０には、記録テープカートリッジ８０の各ピン受け部２６が斜視図にて示されている。これらの図に示される如く、記録テープカートリッジ８０は、張出部５２（張出連結部６４）が下ケース２４の一般面２４Ｃ上に配置された構成に代えて、張出部５２が下ケース２４の位置決め凹部８２に入り込まされている点で、第１の実施形態に係る記録テープカートリッジ１０とは異なる。
【００５７】
図９に示される如く、記録テープカートリッジ８０の位置決め構造８４を構成する位置決め凹部８２は、収容凹部４４と固定用凹部５８との間に、下ケース２４の一般面２４Ｃに対し張出部５２の板厚相当分だけ凹んだ凹部として形成されている。位置決め凹部８２の前後端は、それぞれ位置決め壁８２Ａ、８２Ｂにて規定されている。リーダ保持部材５４は、張出部５２が位置決め凹部８２に入り込まされて底面８２Ｃ上に載置されることで、該張出部５２の幅方向両端において位置決め壁８２Ａ、８２Ｂによって前後方向に位置決めされるようになっている。また、この実施形態では、固定部５６（張出連結部６４の段部６４Ａ）と固定用凹部５８とによって、リーダ保持部材５４の前後方向の位置決めが成される構成とされている。
【００５８】
なお、記録テープカートリッジ８０では、記録テープカートリッジ１０と比較して、張出部５２の板厚相当分だけ張出連結部６４の段部６４Ａが小さく形成されている。上ケース２２側のピン受け部２６は、上記した下ケース２４側のピン受け部２６と上下対称に形成されている。記録テープカートリッジ８０の他の構成は、図示しない部分を含め、記録テープカートリッジ１０の対応する構成と同じである。
【００５９】
したがって、第２の実施形態に係る記録テープカートリッジ８０によっても、第１の実施形態に係る記録テープカートリッジ１０と同様の作用によって同様の効果を得ることができる。
【００６０】
（第３の実施形態）
図１１には、本発明の第３の実施形態に係る記録テープカートリッジ９０を構成する各ピン受け部２６が分解斜視図にて示されており、図１２には、記録テープカートリッジ９０の各ピン受け部２６が斜視図にて示されている。また、図１３には、記録テープカートリッジ９０の各ピン受け部２６が図１２の１３−１３線に沿った断面図にて示されている。これらの図に示される如く、記録テープカートリッジ９０は、張出部５２と固定部５６とが段部６４Ａを有する張出連結部６４を介して連続されたリーダ保持部材５４に代えて、張出部５２と固定部５６とが平板状の張出連結部９２を介して連続されたリーダ保持部材９４を備えて構成されている点で、第１の実施形態に係る記録テープカートリッジ１０とは異なる。
【００６１】
図１１〜図１３に示される如く、固定部５６、張出連結部９２、張出部５２は、全体として略平板状を成している。張出連結部９２には、位置決め構造６６を構成する一対の位置決め用切欠部６８が形成されている。そして、固定部５６は、位置決め構造６６による位置決め状態で下ケース２４の一般面２４Ｃに載置され、該下ケース２４の一般面２４Ｃから突設されたかしめ用突起６０のかしめによって、図１２に示される如くケース１２に固定されるようになっている。
【００６２】
そして、底板２４Ａに固定用凹部５８が設けられない記録テープカートリッジ８０では、抜け止めバネ２８は、板バネ２８Ｂの左端が、固定部５６の前左の端部から立ち下げられたバネ連結部９６に連続されている。これにより、下ケース２４の一般面２４Ｃに固定された固定部５６に連続する抜け止めバネ２８が、バネ溝５０内に適正に配置されるようになっている。上ケース２２側のピン受け部２６は、上記した下ケース２４側のピン受け部２６と上下対称に形成されている。記録テープカートリッジ９０の他の構成は、図示しない部分を含め、記録テープカートリッジ１０の対応する構成と同じである。
【００６３】
したがって、第３の実施形態に係る記録テープカートリッジ９０によっても、第１の実施形態に係る記録テープカートリッジ１０と同様の作用によって同様の効果を得ることができる。また、記録テープカートリッジ９０では、図１３に示される如く、天板２２Ａ、底板２４Ａに固定用凹部５８すなわち薄肉部を形成することなく、張出部５２と抜け止めバネ２８と固定部５６とが一体化されたリーダ保持部材９４を固定することができる。すなわち、記録テープカートリッジ９０では、記録テープカートリッジ１０と比較してもケース１２の強度が高い。これにより、ケース１２に対する張出連結部９２（張出部５２）の取付強度、取付剛性共に高く、ケース１２の耐口開き強度も向上する。
【００６４】
（第４の実施形態）
図１４には、本発明の第４の実施形態に係る記録テープカートリッジ１００を構成する各ピン受け部２６が分解斜視図にて示されており、図１５には、記録テープカートリッジ１００の各ピン受け部２６が斜視図にて示されている。これらの図に示される如く、記録テープカートリッジ１００は、張出部５２、張出連結部９２、固定部５６が下ケース２４の一般面２４Ｃ上に配置された構成に代えて、これら張出部５２、張出連結部９２、固定部５６が下ケース２４の位置決め凹部１０２に入り込まされている点で、第３の実施形態に係る記録テープカートリッジ９０とは異なる。
【００６５】
図１４に示される如く、記録テープカートリッジ１００の位置決め構造１０４を構成する位置決め凹部１０２は、収容凹部４４の左方（開口部１６から見て奥側）に、下ケース２４の一般面２４Ｃに対し張出部５２等の板厚相当分だけ凹んだ凹部として形成されている。位置決め凹部１０２の前後端は、それぞれ位置決め壁１０２Ａ、１０２Ｂにて規定されている。また、位置決め凹部１０２の左右端は、それぞれ位置決め壁１０２Ｃ、１０２Ｄにて規定されている。さらに、位置決め壁１０２Ａには、位置決め凹部１０２とバネ溝５０とを連通するための切欠部１０２Ｅが形成されている。
【００６６】
リーダ保持部材９４は、張出部５２、張出連結部９２、固定部５６が位置決め凹部１０２に入り込まされることで、その（張出部５２等の）幅方向両端において位置決め壁１０２Ａ、１０２Ｂによって前後方向に位置決めされると共に、前後端において位置決め壁１０２Ｃ、位置決め壁１０２Ｄによって位置決めされるようになっている。リーダ保持部材９４は、図１５に示される如く、この位置決め状態でバネ連結部９６が切欠部１０２Ｅを通ることで、張出部５２、張出連結部９２、固定部５６が位置決め凹部１０２の底面１０２Ｆ上に載置されている。そして、この状態で、位置決め凹部１０２の底面１０２Ｆから突設されると共に透孔５６Ａに挿通されたかしめ用突起６０をかしめることで、リーダ保持部材９４がケース１２に固定されている。
【００６７】
なお、記録テープカートリッジ１００では、記録テープカートリッジ９０と比較して、張出部５２等の板厚相当分だけ張出連結部９２すなわち抜け止めバネ２８の固定部５６に対する突出高が小さく設定されている。上ケース２２側のピン受け部２６は、上記した下ケース２４側のピン受け部２６と上下対称に形成されている。記録テープカートリッジ１００の他の構成は、図示しない部分を含め、記録テープカートリッジ９０（記録テープカートリッジ１０）の対応する構成と同じである。
【００６８】
したがって、第４の実施形態に係る記録テープカートリッジ１００によっても、第３の実施形態に係る記録テープカートリッジ９０と同様の作用によって同様の効果を得ることができる。
【００６９】
なお、第３及び第４の実施形態では、固定部５６と張出連結部９２と張出部５２とで平板状を成す例を示したが、本発明はこれに限定されず、抜け止めバネ２８が固定部５６に対し磁気テープＴとは反対側に立ち上げられる構成において、張出部５２と固定部５６とを段差部を有する張出連結部にて繋ぐ構成としても良い。また、張出部５２と固定部５６とは、張出連結部を介して連続する構成に限定されず、直接的に連続されているものと把握しても良い。
【００７０】
また、上記した各実施形態では、リーダ保持部材５４、９４が位置決め構造６６、８４、１０４によってケース１２に対し位置決めされる例を示したが、本発明はこれに限定されず、各種の位置決め構造を取り得ることはいうまでもない。
【００７１】
さらに、上記した各実施形態では、かしめ用突起６０がかしめられることで固定部５６がケースに対し固定される例を示したが、本発明はこれに限定されず、例えば、リーダ保持部材５４等が、固定部５６に代えて、ビス止めやスナップフィット等によってケース１２に固定される固定部を有する構造としても良い。また、ケース１２への固定構造とケース１２に対する位置決め構造とを兼用する構成を採用することもできる。
【００７２】
さらにまた、上記した実施形態では、ケース１２がドライブ装置への装填方向に対する略直交方向である右側を向いて開口する開口部１６、該開口部１６を開閉するための平板状のドア１８を有する例を示したが、本発明はこれに限定されず、ケース１２が如何なる配置、形状の開口部１６、ドア１８を有して構成されても良い。
【図面の簡単な説明】
【００７３】
【図１】本発明の第１の実施形態に記録テープカートリッジの要部を示す分解斜視図である。
【図２】本発明の第１の実施形態に記録テープカートリッジの要部を示す斜視図である。
【図３】図２の３−３線に沿った断面図である。
【図４】本発明の第１の実施形態に記録テープカートリッジの要部を示す一部切り欠いた側面図である。
【図５】本発明の第１の実施形態に記録テープカートリッジを構成するリーダピンのケースへの保持状態を示す側面図である。
【図６】本発明の第１の実施形態に記録テープカートリッジを構成するリーダピンのケースへの保持状態を示す斜視図である。
【図７】本発明の第１の実施形態に係る記録テープカートリッジの概略全体構成を示す斜視図である。
【図８】本発明の第１の実施形態に係る記録テープカートリッジの分解斜視図である。
【図９】本発明の第２の実施形態に記録テープカートリッジの要部を示す分解斜視図である。
【図１０】本発明の第２の実施形態に記録テープカートリッジの要部を示す斜視図である。
【図１１】本発明の第３の実施形態に記録テープカートリッジの要部を示す分解斜視図である。
【図１２】本発明の第３の実施形態に記録テープカートリッジの要部を示す斜視図である。
【図１３】図１２の１３−１３線に沿った断面図である。
【図１４】本発明の第４の実施形態に記録テープカートリッジの要部を示す分解斜視図である。
【図１５】本発明の第４の実施形態に記録テープカートリッジの要部を示す斜視図である。
【符号の説明】
【００７４】
１０    記録テープカートリッジ
１２    ケース
１４    リール
１６    開口部（開口）
２０    リーダピン（リーダ部材）
２８    抜け止めバネ（抜け止めバネ部）
３８Ａ  テープ接続部
４０    外フランジ（鍔部）
４４    収容凹部（リーダ受け部）
５０    バネ溝
５２    張出部
５４    リーダ保持部材
５６    固定部
５８    固定用凹部
６６    位置決め構造（位置決め手段）
８０・９０・１００  記録テープカートリッジ
８４・１０４  位置決め構造（位置決め手段）
９４    リーダ保持部材
Ｔ      磁気テープ（記録テープ）
【図１】
0004842233.tif 000002
【図２】
0004842233.tif 000003
【図３】
0004842233.tif 000004
【図４】
0004842233.tif 000005
【図５】
0004842233.tif 000006
【図６】
0004842233.tif 000007
【図７】
0004842233.tif 000008
【図８】
0004842233.tif 000009
【図９】
0004842233.tif 000010
【図１０】
0004842233.tif 000011
【図１１】
0004842233.tif 000012
【図１２】
0004842233.tif 000013
【図１３】
0004842233.tif 000014
【図１４】
0004842233.tif 000015
【図１５】
0004842233.tif 000016